【手続補正書】
【提出日】平成18年1月27日(2006.1.27)
【手続補正１】
【補正対象書類名】明細書
【補正対象項目名】特許請求の範囲
【補正方法】変更
【補正の内容】
【特許請求の範囲】
【請求項１】  音響及び／又は映像信号の直接の符号化対象である主情報と直接の符号化対象ではない副情報とを符号化する符号化装置において、
上記副情報の概形情報を計算する概形計算手段と、
上記概形情報を量子化して符号化する概形符号化手段と、
上記概形符号化手段における量子化誤差を計算する誤差計算手段と、
上記量子化誤差を情報を失うことなくロスレスで符号化する誤差符号化手段とを備え、
上記概形符号化手段によって符号化された上記概形情報と上記誤差符号化手段によって符号化された上記量子化誤差とを出力すること
を特徴とする符号化装置。
【請求項２】  上記概形計算手段は、上記副情報を所定の単位ユニット毎にまとめ、上記単位ユニット毎の代表値を計算することにより当該副情報の概形を求めることを特徴とする請求項１記載の符号化装置。
【請求項３】  上記概形符号化手段は、上記概形計算手段により計算された概形情報をベクトル量子化することを特徴とする請求項１記載の符号化装置。
【請求項４】  上記概形符号化手段は、概形情報符号化用の符号帳を予め用意し、量子化誤差が最小となる符号のインデックスを符号化することを特徴とする請求項３記載の符号化装置。
【請求項５】  上記概形符号化手段は、上記概形情報をゲインと形とに分けて符号化することを特徴とする請求項１記載の符号化装置。
【請求項６】  上記誤差計算手段は、上記副情報と上記概形符号化手段で符号化された概形情報との差分を計算することを特徴とする請求項１記載の符号化装置。
【請求項７】  上記誤差符号化手段は、上記量子化誤差に周波数に応じた所定の重み付けをして符号化することを特徴とする請求項１記載の符号化装置。
【請求項８】  上記副情報は、正規化情報及び／又は量子化精度情報であることを特徴とする請求項１記載の符号化装置。
【請求項９】  上記誤差符号化手段による符号量と上記副情報を符号化する他の符号化方式による符号量とを比較する比較手段と、
上記比較手段による比較の結果、符号量の少ない方を選択する選択手段と
を備えることを特徴とする請求項１記載の符号化装置。
【請求項１０】  音響及び／又は映像信号の直接の符号化対象である主情報と直接の符号化対象ではない副情報とを符号化する符号化方法において、
上記副情報の概形情報を計算する概形計算工程と、
上記概形情報を量子化して符号化する概形符号化工程と、
量子化誤差を計算する誤差計算工程と、
上記量子化誤差を情報を失うことなくロスレスで符号化する誤差符号化工程とを有し、
上記概形符号化工程にて符号化された上記概形情報と上記誤差符号化工程にて符号化された上記量子化誤差とを出力すること
を特徴とする符号化方法。
【請求項１１】  符号化された音響信号及び／又は映像信号を復号する復号装置において、符号化装置にて直接の符号化対象ではない副情報についての概形情報が符号化され、上記概形情報を符号化する際の量子化誤差が情報を失うことなくロスレスで符号化された上記概形情報と上記量子化誤差とを入力して復号する復号装置であって、
上記量子化誤差を復号する誤差復号手段と、
上記概形情報を復号する概形復号手段と、
復号された上記量子化誤差と上記概形情報とを合成する合成手段と
を備えることを特徴とする復号装置。
【請求項１２】  上記概形情報は、上記副情報を所定の単位ユニットにまとめ、上記単位ユニット毎の代表値を計算することにより求められたものであることを特徴とする請求項１１記載の復号装置。
【請求項１３】  上記概形情報は、上記符号化装置にてベクトル量子化されたものであることを特徴とする請求項１１記載の復号装置。
【請求項１４】  上記概形情報は、ゲインと形とに分けて符号化されていることを特徴とする請求項１１記載の復号装置。
【請求項１５】  上記量子化誤差は、上記副情報と符号化された上記概形情報との差分であることを特徴とする請求項１１記載の復号装置。
【請求項１６】  上記量子化誤差は、周波数に応じた所定の重み付けをして符号化されていることを特徴とする請求項１１記載の復号装置。
【請求項１７】  上記副情報は、正規化情報及び／又は量子化精度情報であることを特徴とする請求項１１記載の復号装置。
【請求項１８】  符号化された音響信号及び／又は映像信号を復号する復号方法において、符号化装置にて直接の符号化対象ではない副情報についての概形情報が符号化され、上記概形情報を符号化する際の量子化誤差が情報を失うことなくロスレスで符号化された上記概形情報と上記量子化誤差とを入力して復号する復号方法であって、
上記量子化誤差を復号する誤差復号工程と、
上記概形情報を復号する概形復号工程と、
復号された上記量子化誤差と上記概形情報とを合成する合成工程と
を有することを特徴とする復号方法。
【請求項１９】  音響及び／又は映像信号の直接の符号化対象である主情報と直接の符号化対象ではない副情報とを符号化する符号化プログラムにおいて、
上記副情報の概形情報を計算する概形計算工程と、
上記概形情報を量子化して符号化する概形符号化工程と、
量子化誤差を計算する誤差計算工程と、
上記量子化誤差を情報を失うことなくロスレスで符号化する誤差符号化工程とを有し、
上記概形符号化工程にて符号化された上記概形情報と上記誤差符号化工程にて符号化された上記量子化誤差とを出力すること
を特徴とする符号化プログラム。
【請求項２０】  符号化された音響信号及び／又は映像信号を復号する復号プログラムにおいて、符号化装置にて直接の符号化対象ではない副情報についての概形情報が符号化され、上記概形情報を符号化する際の量子化誤差が情報を失うことなくロスレスで符号化された上記概形情報と上記量子化誤差とを入力して復号する復号プログラムであって、
上記量子化誤差を復号する誤差復号工程と、
上記概形情報を復号する概形復号工程と、
復号された上記量子化誤差と上記概形情報とを合成する合成工程と
を有することを特徴とする復号プログラム。
【手続補正２】
【補正対象書類名】明細書
【補正対象項目名】００４５
【補正方法】変更
【補正の内容】
【００４５】
また、上述した目的を達成するために、本発明に係る復号装置は、符号化された音響信号及び／又は映像信号を復号する復号装置において、符号化装置にて直接の符号化対象ではない副情報についての概形情報が符号化され、上記概形情報を符号化する際の量子化誤差が情報を失うことなくロスレスで符号化された上記概形情報と上記量子化誤差とを入力して復号する復号装置であって、上記量子化誤差を復号する誤差復号手段と、上記概形情報を復号する概形復号手段と、復号された上記量子化誤差と上記概形情報とを合成する合成手段とを備えることを特徴としている。
【手続補正３】
【補正対象書類名】明細書
【補正対象項目名】００４７
【補正方法】変更
【補正の内容】
【００４７】
また、上述した目的を達成するために、本発明に係る復号方法は、符号化された音響信号及び／又は映像信号を復号する復号方法において、符号化装置にて直接の符号化対象ではない副情報についての概形情報が符号化され、上記概形情報を符号化する際の量子化誤差が情報を失うことなくロスレスで符号化された上記概形情報と上記量子化誤差とを入力して復号する復号方法であって、上記量子化誤差を復号する誤差復号工程と、上記概形情報を復号する概形復号工程と、復号された上記量子化誤差と上記概形情報とを合成する合成工程とを有することを特徴としている。
【手続補正４】
【補正対象書類名】明細書
【補正対象項目名】００５１
【補正方法】変更
【補正の内容】
【００５１】
また、上述した目的を達成するために、本発明に係る復号プログラムは、符号化された音響信号及び／又は映像信号を復号する復号プログラムにおいて、符号化装置にて直接の符号化対象ではない副情報についての概形情報が符号化され、上記概形情報を符号化する際の量子化誤差が情報を失うことなくロスレスで符号化された上記概形情報と上記量子化誤差とを入力して復号する復号プログラムであって、上記量子化誤差を復号する誤差復号工程と、上記概形情報を復号する概形復号工程と、復号された上記量子化誤差と上記概形情報とを合成する合成工程とを有することを特徴としている。
【手続補正５】
【補正対象書類名】明細書
【補正対象項目名】０１２５
【補正方法】変更
【補正の内容】
【０１２５】
また、本発明に係る復号装置は、符号化された音響信号及び／又は映像信号を復号する復号装置において、符号化装置にて直接の符号化対象ではない副情報についての概形情報が符号化され、上記概形情報を符号化する際の量子化誤差が情報を失うことなくロスレスで符号化された上記概形情報と上記量子化誤差とを入力して復号する復号装置であって、上記量子化誤差を復号する誤差復号手段と、上記概形情報を復号する概形復号手段と、復号された上記量子化誤差と上記概形情報とを合成する合成手段とを備えることを特徴としている。
【手続補正６】
【補正対象書類名】明細書
【補正対象項目名】０１２７
【補正方法】変更
【補正の内容】
【０１２７】
また、本発明に係る復号方法は、符号化された音響信号及び／又は映像信号を復号する復号方法において、符号化装置にて直接の符号化対象ではない副情報についての概形情報が符号化され、上記概形情報を符号化する際の量子化誤差が情報を失うことなくロスレスで符号化された上記概形情報と上記量子化誤差とを入力して復号する復号方法であって、上記量子化誤差を復号する誤差復号工程と、上記概形情報を復号する概形復号工程と、復号された上記量子化誤差と上記概形情報とを合成する合成工程とを有することを特徴としている。
【手続補正７】
【補正対象書類名】明細書
【補正対象項目名】０１３１
【補正方法】変更
【補正の内容】
【０１３１】
また、本発明に係る復号プログラムは、符号化された音響信号及び／又は映像信号を復号する復号プログラムにおいて、符号化装置にて直接の符号化対象ではない副情報についての概形情報が符号化され、上記概形情報を符号化する際の量子化誤差が情報を失うことなくロスレスで符号化された上記概形情報と上記量子化誤差とを入力して復号する復号プログラムであって、上記量子化誤差を復号する誤差復号工程と、上記概形情報を復号する概形復号工程と、復号された上記量子化誤差と上記概形情報とを合成する合成工程とを有することを特徴としている。